(57)【要約】【課題】良好な画像が形成できる画像形成装置を提供する。【解決手段】静電潜像が形成される像担持体と、前記像担持体表面に残留する残トナーを除去するクリーニング装置とを少なくとも備え、前記クリーニング装置は、導電性接着剤層に繊維が静電植毛された無端状の可撓性を有する無端クリーニングベルトであり、前記無端クリーニングベルトは、筒状基材の外面に弾性を有する離型部材および導電性接着剤層が順次設けられた後、前記導電性接着剤層に前記繊維が静電植毛され、さらに、前記離型部材から、前記繊維が静電植毛された前記導電性接着剤層を離型させることにより得られるベルトであり、かつ前記像担持体に対し、面接触の状態で当接して前記残トナーを除去する画像形成装置が提供される。【選択図】図１
2013137399.tif 000002
【特許請求の範囲】
【請求項１】
静電潜像が形成される像担持体と、前記像担持体表面に残留する残トナーを除去するクリーニング装置とを少なくとも備え、
前記クリーニング装置は、導電性接着剤層に繊維が静電植毛された無端状の可撓性を有する無端クリーニングベルトであり、
前記無端クリーニングベルトは、
筒状基材の外面に弾性を有する離型部材および導電性接着剤層が順次設けられた後、前記導電性接着剤層に前記繊維が静電植毛され、
さらに、前記離型部材から、前記繊維が静電植毛された前記導電性接着剤層を離型させることにより得られるベルトであり、かつ
前記像担持体に対し、面接触の状態で当接して前記残トナーを除去する画像形成装置。
【請求項２】
前記無端クリーニングベルトは、
筒状基材の外面に、弾性を有する離型部材、第一接着剤層および第二接着剤層が順次設けられた後、前記第二接着剤層に繊維が静電植毛され、
さらに、前記離型部材から、前記第一接着剤層および前記繊維が静電植毛された第二接着剤層を離型させることにより得られるものであり、
前記第一接着剤層は、アクリル系又はゴム系接着剤を含む導電性の接着剤層であり、
前記第二接着剤層は、ウレタン系接着剤を含む導電性の接着剤層である請求項１に記載の画像形成装置。
【請求項３】
前記無端クリーニングベルトは、少なくとも一対の回転軸により張力が加えられた状態で架設されており、
前記一対の回転軸は、
前記無端クリーニングベルトにおける当該一対の回転軸間の表面部分が、前記像担持体に対し、面接触の状態で当接するように設けられている請求項１又は２に記載の画像形成装置。
【請求項４】
前記離型部材が、ゴム系樹脂層
からなる請求項１〜３の何れか１項に記載の画像形成装置。
【請求項５】
静電潜像が形成される像担持体と、前記像担持体表面に残留する残トナーを除去するクリーニング装置とを少なくとも備え、前記クリーニング装置が、導電性接着剤層に繊維が静電植毛された無端状の可撓性を有する無端クリーニングベルトである画像形成装置の製造方法であって、
筒状基材の外面に弾性を有する離型部材および導電性接着剤層を順次設ける工程と、
前記導電性接着剤層に前記繊維を静電植毛する工程と、
前記離型部材から、前記繊維が静電植毛された前記導電性接着剤層を離型させる工程と
を備え、前記工程により無端クリーニングベルトを得る画像形成装置の製造方法。
【発明の詳細な説明】
【技術分野】
【０００１】
本発明は、電子写真方式の画像形成装置に関する。
【背景技術】
【０００２】
現在、電子写真方式による複写機、プリンター等の画像形成装置が広く一般に普及している。例えば、感光体ドラムと、感光体ドラムに当接するクリーニング装置とを備える画像形成装置が普及している。この画像形成装置は、感光体ドラムを一様に帯電させ、帯電した感光体ドラムに光（例えばレーザー光）を照射して、その表面に静電潜像を形成する。そして、この画像形成装置は、この静電潜像を現像剤により顕像化し、記録材料に転写することにより画像形成を行い、さらに画像形成後に（記録材料に転写後に）、感光体ドラムに残留する現像剤をクリーニング装置で除去する。
【０００３】
このようなクリーニング装置には、例えば、金属や樹脂で形成された円柱状のシャフトと、このシャフトに巻き付けた、ブラシ層を備えた生地とで構成されるクリーニングブラシが知られている。また、感光体ドラムに残留する現像剤をクリーニングする装置ではないが、ベルト状の導電性ファーブラシで形成される帯電装置の表面のエアーを吸引して、帯電装置をクリーニングする装置が知られている（例えば、特許文献１参照）。
【先行技術文献】
【特許文献】
【０００４】
【特許文献１】特開平１０−３１３４４公報
【発明の概要】
【発明が解決しようとする課題】
【０００５】
しかし、従来のクリーニング装置は、その製造方法により、シャフトや生地の繋ぎ目に段差が生じ、その結果、一部にクリーニングされない現像剤が残留することがある。このため、このようなクリーニング装置を採用した画像形成装置の場合、不均一なクリーニングにより、例えば、画像に汚れが生じる（画像メモリがプリントされる）ことがある。
【０００６】
本発明はこのような事情に鑑みてなされたものであり、クリーニング不良を防止し、良好な画像を形成する画像形成装置を提供するものである。
【課題を解決するための手段】
【０００７】
本発明によれば、静電潜像が形成される像担持体と、前記像担持体表面に残留する残トナーを除去するクリーニング装置とを少なくとも備え、前記クリーニング装置は、導電性接着剤層に繊維が静電植毛された無端状の可撓性を有する無端クリーニングベルトであり、前記無端クリーニングベルトは、筒状基材の外面に弾性を有する離型部材および導電性接着剤層が順次設けられた後、前記導電性接着剤層に前記繊維が静電植毛され、さらに、前記離型部材から、前記繊維が静電植毛された前記導電性接着剤層を離型させることにより得られるベルトであり、かつ前記像担持体に対し、面接触の状態で当接して前記残トナーを除去する画像形成装置が提供される。
【０００８】
また、本発明に係る画像形成装置において、前記無端クリーニングベルトは、筒状基材の外面に、弾性を有する離型部材、第一接着剤層および第二接着剤層が順次設けられた後、前記第二接着剤層に繊維が静電植毛され、さらに、前記離型部材から、前記第一接着剤層および前記繊維が静電植毛された第二接着剤層を離型させることにより得られるものであり、前記第一接着剤層は、アクリル系又はゴム系接着剤を含む導電性の接着剤層であり、前記第二接着剤層は、ウレタン系接着剤を含む導電性の接着剤層であってもよい。
【０００９】
このような構成によれば、前記第一接着層は、接着性に優れるので、離型部材上に均一な層を形成できる一方、前記第二接着層は、繊維を十分な強度で保持するので、前記クリーニング装置が前記像担持体と安定した接触幅（以下、像担持体とクリーニング装置との接触幅をニップ幅ともいう）で面接触するとともに、長時間使用してもその性能が安定する。このため、クリーニング動作が長時間安定し、長期にわたり良好な画像が形成できる画像形成装置が提供される。
【００１０】
また、前記無端クリーニングベルトは、少なくとも一対の回転軸により張力が加えられた状態で架設されており、前記一対の回転軸は、前記無端クリーニングベルトにおける当該一対の回転軸間の表面部分が、前記像担持体に対し、面接触の状態で当接するように設けられてもよい。
【００１１】
このような構成によれば、前記無端クリーニングベルトの前記回転軸間の表面部分と像担持体のニップ幅をより大きくすることができるとともにその接触が安定する。例えば、クリーニング装置が円柱状である場合と比較して、クリーニング装置と像担持体のニップ幅をより大きくすることができる。また、クリーニング装置が円柱状である場合、クリーニング装置と像担持体との位置調整が煩雑であったが、この構成によれば、位置調整が容易であるのみならず、その位置関係が変動しても、その変動を容易に吸収できる。このため、クリーニング装置と像担持体の接触が安定した画像形成装置が提供される。
【００１２】
また、本発明に係る画像形成装置において、前記離型部材が、ゴム系樹脂層からなってもよい。
【００１３】
このような構成によれば、前記離型部材が優れた弾性特性を有するので、筒状基材に段差があったとしても、前記離型部材が変形してその段差を吸収できる。このため、前記離型部材の表面に凹凸が生じず、その結果、表面が滑らかな無端クリーニングベルトが得られる。したがって、この無端クリーニングベルトを採用したクリーニング装置は、像担持体表面の残トナーをきれいに除去することができる。
このように、この構成によれば、クリーニング不良を防止し、良好な画像を形成できる画像形成装置が提供される。
【００１４】
また、本発明によれば、静電潜像が形成される像担持体と、前記像担持体表面に残留する残トナーを除去するクリーニング装置とを少なくとも備え、前記クリーニング装置が、導電性接着剤層に繊維が静電植毛された無端状の可撓性を有する無端クリーニングベルトである画像形成装置の製造方法であって、筒状基材の外面に弾性を有する離型部材および導電性接着剤層を順次設ける工程と、前記導電性接着剤層に前記繊維を静電植毛する工程と、前記離型部材から、前記繊維が静電植毛された前記導電性接着剤層を離型させる工程とを備え、前記工程により無端クリーニングベルトを得る画像形成装置の製造方法が提供される。
【発明の効果】
【００１５】
本発明に係る画像形成装置は、クリーニング装置が導電性接着剤層に繊維が静電植毛された無端状の可撓性を有する無端クリーニングベルトであり、前記無端クリーニングベルトは、筒状基材の外面に弾性を有する離型部材および導電性接着剤層が順次設けられた後、前記導電性接着剤層に前記繊維が静電植毛され、さらに、前記離型部材から、前記繊維が静電植毛された前記導電性接着剤層を離型させることにより得られるベルトであるので、クリーニング装置の表面が滑らかで、かつ継ぎ目のない（いわゆるシームレス）ベルトにより像担持体をクリーニングできる。このため、本発明に係る画像形成装置は、像担持体表面の残トナーをきれいに除去することができる。
【００１６】
また、前記無端クリーニングベルトは、前記繊維と、前記繊維が静電植毛された前記導電性接着剤層とで構成され、いわゆる基材を用いないので、可撓性に優れ、クリーニング装置と像担持体との間のニップ幅の確保が容易である（すなわち、クリーニング装置と像担持体の接触幅を十分に確保できる）。
また、本発明に係る画像形成装置のクリーニング装置は、前記無端クリーニングベルトが前記像担持体に対し、面接触の状態で当接して前記残トナーを除去するので、クリーニング装置と像担持体のニップ幅が大きくなり、前記無端クリーニングベルトが均一に像担持体表面に当接して残トナーを除去する。このため、像担持体から残トナーが安定して除去される。
したがって、本発明に係る画像形成装置は、像担持体を均一かつ安定的にクリーニングできるので、本発明によれば、クリーニング不良を防止し、良好な画像を形成できる画像形成装置が提供される。
また、本発明によれば、上記の、良好な画像を形成できる画像形成装置の製造方法が提供される。
【図面の簡単な説明】
【００１７】
【図１】本発明の実施形態に係る画像形成装置の構成を説明するための断面図である。
【図２】図１の画像形成装置に用いたクリーニングベルトの構成を説明するための断面図である。（ａ）は接着層が１層である実施形態を示し、（ｂ）は接着層が２層である実施形態を示す。
【図３】比較例に係る画像形成装置のクリーニング装置の構成を説明するための断面図である。
【発明を実施するための形態】
【００１８】
以下、本発明の実施形態に係る画像形成装置について、図面を用いて詳細に説明する。図１は、本発明の実施形態に係る画像形成装置の構成を説明するための断面図である。
【００１９】
（第１実施形態）
図１に示すように、本発明の実施形態に係る画像形成装置は、静電潜像の像担持体である感光体ドラム１０と、感光体ドラム１０表面に残留する残トナー（残現像剤）を除去するクリーニングベルト６０とを少なくとも備えている。
【００２０】
感光体ドラム１０は、ドラム状（円柱状の形状）の電子写真感光体であり、図１に示す矢印の方向に回転可能に配設されている。感光体ドラム１０は、帯電ブラシ２０により、その表面が均一に帯電され、さらに、露光装置３０により光が照射されることにより、その表面に静電潜像が形成される。感光体ドラム１０に形成された静電潜像は、現像剤（トナー）により顕像化され記録材料に転写され、転写後、感光体ドラム１０上の現像剤は、クリーニングベルト６０により除去される。
【００２１】
クリーニングベルト６０は、無端状の可撓性を有する無端クリーニングベルトであり、導電性接着層に繊維が静電植毛されて形成されている。図２に本実施形態のクリーニングベルト６０の構成を示す。
図２は、本実施形態の画像形成装置に用いたクリーニングベルトの構成を説明するための断面図である。図２において、（ａ）は接着層が１層である実施形態を示し、（ｂ）は接着層が２層である実施形態を示している。ここで、図２は、張力が加えられていない状態のクリーニングベルト６０を示すものであり、後述する筒状基材を用いて製造されたクリーニングベルト６０を示す図であるため、図示したベルトは円柱状の形状となっている。
【００２２】
図２（ａ）に示すように、クリーニングベルト６０は、ブラシ毛で構成されるブラシ層６１と、このブラシ毛が静電植毛された導電性接着層６２とで構成されている。
【００２３】
ブラシ層６１は、導電性接着層６２表面に対して略垂直に植毛された多数のブラシ毛で構成されている。このブラシ毛は、例えば、ナイロン、ポリエステル、ビニロン、アラミド（アロマティック（芳香族）ポリアミド）等の材質にカーボン等の導電材を均一に分散させた均一分散構造の導電糸で構成される。ブラシ毛の構成はこのような構成に限定されるものではなく、そのほか、ブラシ毛は、ナイロン、ポリエステル等の材質の糸表面を同導電材で覆った複合構造の導電糸、アクリル繊維中にカーボンが配列された炭素配列体繊維構造の導電糸であってもよい。その材質は、クリーニングベルトに印加する電圧等のクリーニングベルトの仕様に応じて、帯電系列でプラス側の材質であるか、マイナス側の材質であるか、等を考慮して選択する。
【００２４】
また、ブラシ毛の長さは、特に限定されるものではないが、また、ブラシ毛の長さは、特に限定されるものではないが、例えば、好ましくは０．３〜３．５ｍｍであり、より好ましくは０．５〜２．５ｍｍある。このような範囲であれば、クリーニングベルト６０と感光体ドラム１０の接触幅（以下、「ニップ幅」という）が安定し、感光体ドラム１０との面接触が良好となる。
【００２５】
また、ブラシ毛の形状も特に限定されない。この実施形態では、ブラシ毛の断面形状が円形形状であるが、偏平状、ブーメラン形状、星形形状（例えば、中心から６つの頂点に向かって凸部が放射状に延びる形状）であってもよい。
【００２６】
ブラシ毛の抵抗値も特に制限されないが、クリーニングベルトに電圧を印加して残トナーを静電吸着するために、例えば、ブラシ毛の体積抵抗値を、好ましく１×１０4〜１×１０6Ω・ｃｍとする。
ここで、上記体積抵抗値の測定方法は、例えば、長さ１０ｃｍのブラシ毛１００本を束ね、その両端を導電性接着剤で金属端子に接着して測定試料を作製し、１０００Ｖの直流電圧下でその試料の電気抵抗値を測定することにより行う。
【００２７】
一方、導電性接着層６２は、ブラシ毛の端部（底面）を固定する層であり、導電性材料と接着剤とを含有している。導電性接着層６２は、例えば、アクリル樹脂、酢酸ビニル、ポリウレタン、合成ゴムおよび天然ゴム等を主成分とする接着剤と、導電性フィラーとを含有する材料が用いられて形成されている。
【００２８】
導電性接着層６２に含有される上記接着剤は、特に制限されないが、例えば、アクリル樹脂、酢酸ビニル、ポリウレタン、合成ゴムおよび天然ゴム等の少なくとも１つを主成分とする。好ましくは、アクリル樹脂、ウレタン樹脂またはゴムを主成分とし、より好ましくは、ウレタン樹脂またはゴムを主成分とする。例えば、アクリル樹脂、ウレタン樹脂、ゴムのいずれかを、接着剤全体に対して３０〜６０質量％含有する接着剤を用いる。
【００２９】
アクリル樹脂を主成分とする接着剤には、レドックス（酸化還元）で活性化される接着剤、シアノアクリレート系接着剤が知られており、これらの接着剤いずれを用いてもよい（または、これらが組み合わされて用いてもよい）。レドックス（酸化還元）で活性化される接着剤は、例えば、主成分がエラストマー（クロロスルホン化ポリエチレン、ポリウレタン、ＮＢＲ、ＳＢＲ等）であり、モノマーとしてメタクリル酸メチルが含まれる。また、シアノアクリレート系接着剤は、例えば、主成分がシアノアクリル酸エステルモノマーであり、安定剤、増粘剤、可塑剤等が含まれる。シアノアクリレートモノマーには、シアノアクリル酸メチル、エチル、イソブチル等が該当し、一般的にはシアノアクリル酸メチル、エチルが用いられる。シアノアクリレートモノマーには、これらの材料の１種単独で、または２種以上で組み合わされて用いてもよい。
【００３０】
ウレタン樹脂を主成分とする接着剤には、ポリイソシアネート接着剤、プレポリマー接着剤、熱可塑性ポリマー接着剤等のポリウレタン接着剤が知られており、これらの接着剤いずれを用いてもよい（または、これらが組み合わされて用いてもよい）。例えば、ポリイソシアネートには、トリフェニルメタン‐ｐ，ｐ’，ｐ”‐トリイソシアネート、ヘキサメチレンジイソシアネート、ジフェニルメタン‐４，４’‐ジイソシアネート、トルエンジイソシアネート等が該当し、ポリイソシアネート接着剤には、これらが主成分として用いられる。これらのポリイソシアネートのほか、ポリアクリレート、エポキシ、キシレン、ポリアミド等の樹脂がポリマーとして、１種単独で、または２種以上で組み合わされて用いられてもよい。また、プレポリマーは、ポリイソシアネートとポリヒドロキシ化合物の部分生成物である、ウレタンプレポリマーであり、プレポリマー接着剤は、これを主成分とする（例えば、単独で用いる）ほか、硬化剤とともに用いられてもよい。また、熱可塑性ポリマーは、ジイソシアネートと２官能以上のポリエステル、ポリエーテルとの反応により作られる末端ＯＨ基の線状ポリマーであり、ジイソシアネート変性ポリマーと呼ばれるポリマーである。熱可塑性ポリマー接着剤には、このジイソシアネート変性ポリマーが主成分として用いられる。
また、ウレタン樹脂を主成分とする接着剤には、作業性を改善するために（例えば粘度を下げ、塗布性を改善するために）、塩化メチレン、メチルエチルケトン、四塩化炭素、トリクロロエチレン、アセトン等の溶剤が含まれてもよく、充填剤が含まれてもよい。充填剤には、例えば、アスベスチン、カーボンブラック、二酸化チタン、白亜、クレーを挙げることができる。
【００３１】
ゴムを主成分とする接着剤には、例えば、クロロプレンゴム、ニトリルゴム、スチレン・ブタジエンゴム、スチレン系ブロックゴム、ウレタンゴムまたはブチルゴム等を主成分とし、粘着性を改善するための、合成樹脂、充填剤、安定剤が含まれる。さらに例示すると、クロロプレンゴムを主成分とする接着剤は、溶剤（トルエン、ＭＥＫ、酢酸エチル、ｎ−ヘキサン等）中に、クロロプレンゴム、酸化マグネシウム、活性亜鉛華、アルキルフェノール樹脂、粘着樹脂（例：テルペン樹脂）、必要に応じて充填剤（例：炭酸カルシウム等）が溶解、分散して作製される。また、ニトリルゴムを主成分とする接着剤は、溶剤（アセトン、ＭＥＫ、酢酸エチル等）中に、ニトリルゴム、イオウ、亜鉛華、フェノール樹脂、塩化ゴム、必要に応じて充填剤が溶解、分散して作製される。このようなゴムを主成分とする接着剤であれば特に制限はなく、ここに挙げた接着剤であれば、いずれの接着剤を用いてもよい（または、これらが組み合わされて用いてもよい）。
【００３２】
また、導電性フィラーは、例えば、金属、カーボン（炭素）等の導電性粉末が少なくとも１種以上用いられる。導電性があるものであれば特に限定されず、例えば、金属の粉末として、Ａｇ、Ｐｔ、Ａｕの貴金属の粉末、Ｃｕ、Ｎｉ、Ｆｅ、Ｃｒ、Ｃｏ、Ａｌ、Ｓｂ、Ｍｏ等の金属またはこれらの合金、酸化物の粉末が挙げられる。また、カーボンの粉末として、カーボンブラックや炭素繊維、グラファイト粒子等が挙げられる。また、導電性がある粉末、繊維等であればよいので、非導電性の粉末（ガラスビーズ、酸化チタン等の粉末）の表面がスパッタリング、蒸着、メッキ等によりコーティング処理されたものを用いてもよい。ほか、ポリアニリンやポリピロール等の導電性高分子材料を用いてもよい。ここに挙げた材料の粉末を単独でまたは２種以上組み合わせて用いてもよい。
【００３３】
導電性フィラーは、上記で説明した主成分の接着剤に、好ましくは０．５〜５．０質量％含有させ、より好ましくは３．０〜４．０質量％含有させる。例えば、導電性フィラーがカーボンである場合、ウレタン樹脂またはゴムを主成分の接着剤に、０．５質量％以上含有させる。（ここで、前記含有量は、接着剤および導電性フィラーの合計を１００質量部％としたときの数値である。）
【００３４】
導電性接着層６２は、例えば、その厚みが乾燥状態で１００〜２５０μｍである。導電性接着層６２の厚みは、好ましくは１００〜２５０μｍであり、より好ましくは１５０〜２００μmである。このような厚みであれば、柔軟性に優れるとともに、後述する離形部材６３との間の離型性にも優れるクリーニングベルトが得られる。
なお、上記の厚みは接着剤が乾燥、硬化して導電性接着層６２を形成したときの値である。
【００３５】
導電性接着層６２は、上記のような導電性フィラー含有率、層厚を採用することにより、体積抵抗値を、好ましくは０．１〜１０Ω・ｃｍとする。ここで、体積抵抗値は、例えば、フィルム状の試料を作製し、四端子法で測定する。
【００３６】
クリーニングベルト６０は、上記のような材料で形成されているので、可撓性を有する。例えば、直径５〜１０ｍｍの円柱に押し当て９０度折り曲げる試験を行っても、得られたクリーニングベルト６０は折れることなく、撓むことができる。このように、クリーニングベルト６０は可撓性に富み、ベルトに好適である。
【００３７】
また、クリーニングベルト６０は無端状であり、いわゆるシームレスである。すなわち、クリーニングベルト６０は継ぎ目（シーム）が無いベルトである。より詳細に説明すると、クリーニングベルト６０は、円筒状のどの箇所でもその構造（厚さや層構造）がほぼ同じである。
【００３８】
このような構成のクリーニングベルト６０は、以下の製造方法により得られる。以下、図２（ａ）を参照して説明する。ここで、図２において、クリーニングベルト６０を構成する要素は実線で示され、その製造過程で用いられる要素は点線で示されている。
【００３９】
まず、基材として筒状部材６４を用意する。筒状部材６４として、例えば、厚紙を筒状に丸め、厚紙の端部でおもて面と裏面が接合されたもの（接合部に段差があるもの）や金属管を用いる。その断面形状は円または楕円であり、例えば、直径８０〜１３０ｍｍの円の形状である。本実施形態では中空の例で説明しているが、中実の筒状部材６４を用いても良い。例えば、ＳＵＳ等の金属材料で形成された中実の円柱状の棒を用いてもよい。
なお、後述する静電植毛の工程で静電界を筒状部材６４に印加すると作業効率が良いので、筒状部材６４の材料は、導電性材料であることが好ましい。
【００４０】
次いで、筒状部材６４の外周面に弾性を有する離型部材６３を設ける。その方法は特に限定されないが、例えば、０．１〜０．５ｍｍの厚さのフィルム状（層）かつ円筒状の袋で構成され、合成ゴムからなる離型部材６３を筒状部材６４外周面に被せることにより、筒状部材６４の外周面に離型部材６３を設ける。
【００４１】
離型部材６３の材料は、特に限定されないが、好ましくはゴム（天然ゴム、合成ゴム）であり、より好ましくはシリコンゴム、ポリウレタンゴムである。ここで、ゴムには、例えば、天然ゴム、合成ゴムが該当し、合成ゴムには、例えば、クロロプレンゴム、ニトリルゴム、エチレンプロピレンゴム、クロロスルホン化ポリエチレンゴム、ポリウレタンゴム、フッソゴム、シリコンゴム、スチレン・ブタジエンゴム、ブタジエンゴム、イソプレンゴム、ブチルゴム、アクリロニトリルブタジエンゴム、多硫化ゴム、ホスファゼンゴム、アクリルゴム、エピクロルヒドリンゴム等が該当し、ここに挙げた材料を単独または２種以上組み合わせて、離型部材２３の材料としてもよい。
このような材料であれば、弾性を有するので、筒状部材６４の表面に段差があったとしても、段差を吸収し、離型部材６３の表面を滑らかにすることができる。
離型部材６３は、弾性を有する材料であればよいので、ゴムに限らず、ゴム以外のエラストマー（弾性を示す高分子材料）で形成されてもよい。例えば、熱可塑性エラストマー（ポリスチレン系、ポリオレフィン系、ポリエステル系、ポリウレタン系、ポリ塩化ビニル系、ポリアミド系等の熱可塑性エラストマー）で離型部材６３が形成されてもよい。また、エラストマーのほか、ポリエステル樹脂で離型部材６３が形成されてもよい。
【００４２】
また、離型部材６３は、好ましくは、厚さ０．０５〜１．０ｍｍのフィルム状のものを用いる。このような厚さの離型部材６３を用いると、筒状部材６４に段差があったとしてもその凹凸を吸収できる。また、離型部材６３は、より好ましくは、厚さ０．０５〜０．５ｍｍであり、さらに好ましくは、０．０５〜０．３ｍｍである。このような厚さの離型部材２３であれば、例えば、段差が０．０５〜０．１ｍｍであっても、その段差を吸収し、表面が滑らかにできる。なお、筒状部材６４表面に離型部材６３の材料を塗布等して、このような厚さの層を形成してもよい。
【００４３】
ここで、離型部材６３の「離型」性は、筒状部材６４に対するものでもある。このような「離型」性をもたせるため、筒状部材６４に、シリコンコートまたはフッ素樹脂コートを施すとよい。
また、最終的に、導電性接着層６２を離型部材６３から離型させるので、離型部材６３の「離型」性は、導電性接着層６２に対するものでもある。導電性接着層６２がアクリル樹脂であるとき、この「離型」性が好ましい材料に、ゴムを挙げることができる。
【００４４】
次いで、離型部材６３上に導電性接着層６２を設ける。この導電性接着層６２を設ける方法も特に限定されないが、例えば、スクリーン印刷法やインクジェット法により、離型部材６３上に導電性接着剤を塗布する。
【００４５】
導電性接着層６２は、上記で説明した厚みとなるように塗布する。導電性接着層６２の厚みは塗布速度や接着剤の粘度調整により調整する。
【００４６】
次いで、導電性接着層６２にブラシ毛となる繊維を静電植毛する。具体的には、所定の立毛長さにしたブラシ毛の群を導電性接着層６２に対向する位置に配置し、高圧の静電界を印加する（例えば、筒状部材６４が正極側となるように電圧を印加し、ブラシ毛を負極側に帯電させる）。そうすると、ブラシ毛が筒状部材６４に静電吸引力によって引き寄せられ、筒状部材６４の表面である導電性接着層６２の表面に対して垂直にブラシ毛が突き刺さる。その結果、ブラシ毛が導電性接着層６２に静電植毛される。これにより、導電性接着層６２上にブラシ層６１が形成される。
【００４７】
次いで、導電性接着層６２が硬化した後、離型部材６３から、ブラシ毛である繊維が静電植毛された導電性接着層６２を離型させる。例えば、離型部材６３から筒状部材６４を軸方向に引き抜くと、ゴム系樹脂の離型部材６３が収縮し、このため、離型部材６３から、ブラシ毛が静電植毛された導電性接着層６２が離形する。これにより、図２（ａ）に示すクリーニングベルト６０が得られる。
【００４８】
以上の工程により得られるクリーニングベルト６０は、離型部材６３を介して導電性接着層６２に繊維を静電植毛するので、筒状部材６４に段差があったとしても、その段差の影響を受けず、滑らかな表面の導電性接着層６２を有することになる。さらに基材も用いないので、従来のクリーニング装置と比較して可撓性に富む。
【００４９】
クリーニングベルトは、例えば、カメラ用レンズフード等の筒状植毛製品の製造方法である、次の（１）〜（４）の製造方法のうち、（１）〜（３）の製造方法で製造されることが考えられる。
（１）厚紙等の成型用筒に離型フィルムを巻き、この離型フィルムに液状ホットメルトを塗布して感熱型接着層を形成し、
（２）さらに、その感熱型接着層に短繊維を植毛して短繊維植毛層を形成して、感熱型接着層と短繊維植毛層とからなる円筒植毛シートを形成し、
（３）次いで、離型フィルムから、円筒植毛シートを離型し、
（４）次いで、円筒植毛シートを筒状部材の外面に当接するように外挿し、円筒植毛シートの感熱型接着層を加熱して感熱型接着層を筒状部材に溶着させ、円筒植毛シートを筒状部材に固着させる。
【００５０】
しかし、上記の（１）〜（３）の製造方法を用いて、クリーニングベルトを製造すると、成型用筒の表面形状により、円筒植毛シートに段差が生じることがある。例えば、成型用筒を厚紙で形成すると、その継ぎ目で段差が生じ、円筒植毛シートにも段差が生じることがある、このため、この円筒植毛シートを採用した画像形成装置で画像を形成すると、その段差でクリーニングできず、現像剤（トナー）がその一部で残留することがあり、例えば、画像に汚れが生じる（画像メモリがプリントされる）ことがある。
【００５１】
これに対し、本実施形態に係る画像形成装置のクリーニングベルトは、筒状部材６４の外周面に弾性を有する離型部材６３を設け、かつ離型部材６３上に導電性接着層６２を設け、導電性接着層６２にブラシ毛となる繊維を静電植毛し、導電性接着層６２が硬化した後、離型部材６３からブラシ毛が静電植毛された導電性接着層６２を離型させることにより得られるベルトであるので、表面が滑らかで、段差がない（または段差がほとんど生じない）。このため、本実施形態に係る画像形成装置は、感光体ドラムに残留した現像剤をきれいに除去することができる。
【００５２】
また、従来のクリーニングブラシの製造方法として、基材と、基材上の接着層に繊維が植毛されたブラシ毛とからなる植毛シートを円筒状に巻き、その端部を接合する方法があり、これをクリーニングベルトに適用することが考えられる。
しかし、この製造方法でも、植毛シートの接合部で段差が生じることがあり、上記の（１）〜（３）の製造方法と同様に、感光体ドラムの一部がクリーニングされず、画像に汚れが生じることがある。
これに対し本実施形態に係る画像形成装置のクリーニングベルトは、シートの端部を接合することなく、筒状部材６４の形状を利用して、筒状のベルトを形成するので、継ぎ目がない無端ベルトとなる。また、上記で説明した製造方法により得られるので、表面が滑らかで、段差がない（または段差がほとんどない）無端ベルトとなる。さらに、基材も用いないので、コストダウンを図ることができるとともに、従来のクリーニング装置と比較して可撓性に富む。
【００５３】
このように、本実施形態で説明した製造方法によれば、その表面が滑らかなであるとともに可撓性に富む無端状のクリーニングベルトが得られる。
【００５４】
また、クリーニングベルト６０は、少なくとも一対の回転軸により張力が加えられた状態で架設されている。
より具体的には、図１に示すように、クリーニングベルト６０は、一対のローラ６６，６７によって張力が加えられた状態に架設されている。ここで、ローラ６６，６７は、いわゆるシャフト、回転軸である（クリーニングベルト６０が平ベルト状であるので、ベルト車とも呼んでもよい）。
【００５５】
ローラ６６，６７は、クリーニングベルト６０を介して、その外周が感光体ドラム１０の外周の接線にほぼ接するように配設され、回転軸として機能するように回転可能に軸支されている。図１に示すように、クリーニングベルト６０がローラ６６，６７にオープンベルトに掛けられているので、クリーニングベルト６０が動くと、ローラ６６，６７は同一方向に回転することになる。張力が加えられたクリーニングベルト６０が回転する感光体ドラム１０に接触することにより、その回転に応じてクリーニングベルト６０およびローラ６６，６７が回転する。
【００５６】
ローラ６６，６７の外周が、クリーニングベルト６０を介して、感光体ドラム１０の外周の接線にほぼ接するので、クリーニングベルト６０における一対のローラ６６，６７間の表面部分、すなわち、ローラ６６，６７の間のクリーニングベルト６０の感光体ドラム１０側の面が感光体ドラム１０に面接触の状態で当接することになる。クリーニングベルト６０は、上記で説明したように、可撓性を有し、かつ基材を用いない構成（ブラシ層６１と導電性接着層６２とからなる構成）であるので、クリーニングベルト６０は、感光体ドラム１０の表面形状に応じて密着することが可能である。このため、例えば、クリーニングベルト６０と感光体ドラム１０との位置関係が感光体ドラム１０の軸方向に向かってやや斜めとなっていたとしても、クリーニングベルト６０は感光体ドラム１０が面接触の状態で当接することになる。
【００５７】
ここで、クリーニングベルト６０と感光体ドラム１０のニップ幅は、好ましくは５〜１００ｍｍの範囲であり、より好ましくは、２０〜４０ｍｍの範囲である。このようなニップ幅を実現するために、例えば、ローラ６６，６７の外周を感光体ドラム１０の外周の接線よりも感光体ドラム側に配設してもよい。
【００５８】
また、ローラ６６，６７は、その一方または両方のローラが電圧印加装置６５（例えば、直流電圧を印加する電源）に電気的に接続されている（図１では両方のローラに電圧印加装置６５Ａ，６５Ｃが接続されている）。このため、クリーニングベルト６０のブラシ層６１に電圧が印加されることになる。上記で説明したようにクリーニングベルト６０が感光体ドラム１０と面接触の状態で当接するので、電圧が印加されたブラシ層６１により感光体ドラム１０の表面の残トナーが静電吸着され、その結果、残トナーが除去されて感光体ドラム１０の表面がクリーニングされることになる。
また、クリーニングベルト６０は、ローラ６６，６７の間に１つのローラ６９が配設され、このローラ６９に対向するように、別のローラ６８が配設されている。すなわち、クリーニングベルト６０の内側に、ローラ６６、６７とともにクリーニングベルト６０に張力を加えるように、ローラ６９が配設され、ローラ６９とローラ６８がクリーニングベルト６０を挟むように配設されている。また、ローラ６８は、クリーニングベルト６０表面に面接触の状態で当接し、さらに、ローラ６８には電圧印加装置６５Ｂが接続されている。電圧印加装置６５Ｂは、ローラ６８に、ローラ６６，６７の電圧印加装置と逆の極性の電圧を印加するように構成されているので、クリーニングベルト６０に吸着した残トナーは、その電界によってローラ６８に回収される。ローラ６８は、クリーニングベルト６０と面接触の状態で当接しているので、上記電界により、クリーニングベルト６０上の残トナーが効率よく回収され、ローラ６８がクリーニングベルト６０上の残トナーを回収する回収ローラとして機能する。
ここで、クリーニングベルト６０上の残トナーを効率よく回収するには、クリーニングベルト６０とローラ６８とのニップ幅が５〜１００ｍｍであると好ましく、２０〜４０ｍｍであるとより好ましい。
このように、クリーニングベルト６０が、ローラ６６，６７，６８，６９に架設または当接することにより、感光体ドラム１０表面の残トナーが除去され回収される。
【００５９】
以上のような構成のクリーニングベルト６０は、その表面が滑らかで段差がなく、また、可撓性に富むところ、さらに、面接触の状態で感光体ドラム１０と当接するので、感光体ドラム１０とクリーニングベルトベルト２０とのニップ幅が大きくなり、感光体ドラム１０表面を均一かつ安定してクリーニングできるようになる。このため、本実施形態に係る画像形成装置によれば、クリーニング不良が生じにくく、画像不良（例えば、メモリ）が生じにくい画像形成装置が提供されることになる。
【００６０】
なお、本実施形態の画像形成装置の構成について、感光体ドラム１０およびクリーニングベルト６０を説明したが、当然ながら、その他の構成として、画像形成装置分野で周知の構成をさらに備えてもよい。すなわち、本実施形態の画像形成装置は、さらに、感光体ドラム１０表面を均一に帯電させる帯電ブラシ２０と、感光体ドラム１０に光を照射して、画像信号に応じた静電潜像を感光体ドラム１０表面に形成する露光装置３０と、感光体ドラム１０上に形成された静電潜像を現像剤像（トナー像）として顕像化する現像装置４０と、感光体ドラム１０上の現像剤像を記録紙に転写する転写ブラシ５０と、現像剤像を転写するための記録紙を搬送する搬送ベルト７とを備えてもよい。これらの装置（構成）は、感光体ドラム１０の外周に沿うように、帯電ブラシ２０、露光装置３０、現像装置４０、転写ブラシ５０、転写ブラシ５０および搬送ベルト７、クリーニング装置６０の順で、感光体ドラム１０の回転方向に配置される。
また、クリーニング装置６０は、さらに、固体潤滑剤供給装置、クリーニングブレード６３を有してもよい。
【００６１】
（第２実施形態）
第１実施形態では、画像形成装置におけるクリーニングベルトが１つの導電性接着層を有する場合を説明したが、この導電性接着層が複数の接着層で構成されてもよい。次に、導電性接着層が２つの層で形成される場合について、図２（ｂ）を参照して説明する。図２（ｂ）は、接着層が２層である実施形態を示している。
【００６２】
図２（ｂ）に示されるように、第２実施形態の画像形成装置におけるクリーニングベルトは、第１実施形態の場合と同様に、無端状の可撓性を有する無端クリーニングベルトであるものの、第１実施形態の場合と異なり、導電性接着層が第１導電性接着層６２Ａおよび第２導電性接着層６２Ｂで形成され、第２導電性接着層６２Ｂに繊維が静電植毛されて形成されている。第２実施形態の構成は、第１実施形態のそれとほぼ同じであるので、同じ構成の説明を省略し、以下に、第１実施形態と異なる構成について説明する。
【００６３】
第１導電性接着層６２Ａは、アクリル系接着剤を含む導電性の接着剤で形成されている。第1導電性接着層６２Ａの材料は、特に制限されないが、アクリル系接着剤の代わりにゴム系接着剤を含んでもよく、また、これら以外の接着剤で形成されてもよい。具体的には、例えば、ブタジエン樹脂を主成分とする接着剤と導電性フィラーとを含有させた材料で第1導電性接着層６２Ａを形成する。このような接着剤のうちは、特に、アクリル系又はゴム系接着剤を含む接着剤が好ましく、ゴム系接着剤を含む接着剤がより好ましい。このような接着剤であれば、接着性に優れ、離型部材上に層を形成しやすい。例えば、ブタジエン樹脂を５０質量％含有する接着剤を用いる。（ここで、前記含有量は、接着剤および導電性フィラーの合計を１００質量部％としたときの数値である。）
【００６４】
第1導電性接着層６２Ａに含まれる導電性フィラーには、第１実施形態と同様に、金属、カーボン等の導電性粉末等が少なくとも１種以上用いられる（例えば、カーボンを用いる）。導電性フィラーの含有量も第１実施形態と同じである。
【００６５】
第1導電性接着層６２Ａは、好ましくはその厚みが５０〜１００μｍであり、より好ましくは５０〜７５μｍである。このような厚みであれば、柔軟性に優れたクリーニングベルトが得られる。
なお、上記第1導電性接着層６２Ａの厚みも、第１実施形態と同様に、接着剤が乾燥、硬化して導電性接着層６２を形成したときの値である。
【００６６】
第２導電性接着層６２Ｂは、ウレタン系接着剤を含む導電性の接着剤層で形成されている。より具体的には、例えば、ウレタン樹脂エマルジョンを主成分とする接着剤と、第１実施形態と同様に、導電性フィラーを含有させた材料で第２導電性接着層６２Ｂを形成している。第２導電性接着層６２Ｂは、ウレタン系接着剤以外の接着剤で形成されてもよいが、母材としてウレタン系樹脂を用いると、ブラシ毛の端部が十分に接着されブラシ毛が抜けにくいクリーニングベルトが得られるので、第２導電性接着層６２Ｂは、ウレタン系接着剤を含む接着剤が好ましい。
ウレタン系接着剤には、第１実施形態で説明したように、ポリイソシアネート接着剤、プレポリマー接着剤、熱可塑性ポリマー接着剤等のポリウレタン接着剤が知られており、第１実施形態と同様に、これらの接着剤いずれを用いてもよい。また、本実施形態では、ウレタン樹脂系エマルジョン形接着剤を用いてもよい。ウレタン樹脂系エマルジョン形接着剤は、例えば、ウレタン樹脂を乳化剤の存在下で強制乳化してエマルジョン化した接着剤や、ウレタンポリマーの鎖延長反応と同時に乳化分散させて製作された接着剤がある。ブラシ毛が抜けにくいという点からすると、ウレタン樹脂エマルジョンがより好ましい。より具体的には、例えば、ウレタン樹脂エマルジョンを４０質量％含有する接着剤を用いる。（ここで、前記含有量は、接着剤および導電性フィラーの合計を１００質量部％としたときの数値である。）
【００６７】
第２導電性接着層６２Ｂに含まれる導電性フィラーは、第１実施形態および第1導電性接着層６２Ａと同じであり、その含有量も同じである。
【００６８】
第1導電性接着層６２Ａは、その厚みが好ましくは乾燥状態で１００〜２５０μｍであり、より好ましくは１５０〜２００μｍである。このような厚みであれば、柔軟性を確保するとともに、ブラシ毛の端部を保持するのに十分な強度を保つことができる。
【００６９】
第２実施形態における画像形成装置のクリーニングベルトは、第１実施形態の場合とほぼ同じ製造方法により得られるが、第１実施形態の場合と離型部材６３上に導電性接着層を設ける工程等が異なる。以下、第１実施形態と同じ工程の説明を省略し、第１実施形態と異なる工程について説明する。
【００７０】
まず、離型部材６３上に第1導電性接着層６２Ａを設ける。第1導電性接着層６２Ａを設ける方法も第１実施形態の「導電性接着層６２を設ける」工程と同じく、その方法は特に限定されない。第１実施形態と同様に、例えば、スクリーン印刷法やインクジェット法により、塗布することにより設ける。材料および厚さは、上記で説明したとおりである。
ここで、第1導電性接着層６２Ａの接着剤は、好ましくは塗布後その表面を乾燥させる。乾燥は、好ましくは表面に被膜が形成されるまで行う。
【００７１】
次いで、第1導電性接着層用の導電性接着剤を乾燥（硬化）後、第1導電性接着層６２Ａ上に第２導電性接着層６２Ｂを設ける。その方法は上記の第1導電性接着層６２Ａと同じである。材料および厚さは、上記で説明したとおりである。
【００７２】
次いで、第２導電性接着層６２Ｂにブラシ毛となる繊維を静電植毛する。静電植毛は、第２導電性接着層６２Ｂに対して行う。第１実施形態と同様の方法で静電植毛すると、第1導電性接着層６２Ａの接着層は硬化しているので、結果的に繊維が第２導電性接着層６２Ｂに静電植毛される。
【００７３】
静電植毛後の工程は、第１実施形態と同じである。すなわち、離型部材６３から、第1導電性接着層６２Ａおよびブラシ毛の繊維が静電植毛された第２導電性接着層６２Ｂを離型する。これにより、第２実施形態のクリーニングベルトが得られる。
【００７４】
このような工程により得られるクリーニングベルト６０は、第１実施形態とほぼ同じ特徴をもつが、本実施形態によれば、導電性接着層が２つの層で形成されているので、クリーニングベルト６０の導電性接着層は、離型部材に対する接着性とブラシに対する接着性の両者において優れる。すなわち、クリーニングベルト６０の導電性接着層は、接着性に優れ、離型部材上に層を形成しやすく、かつブラシ毛が抜けにくい。
【００７５】
なお、第２実施形態のクリーニングベルト６０も、第１実施形態と同じく、一対のローラ６６，６７によって張力が加えられた状態に架設されて用いられる。すなわち、第２実施形態のクリーニングベルト６０とローラ６６，６７との関係およびこれらと感光体ドラム１０との関係は、第１実施形態と同様である。
ここで、第２実施形態において、クリーニングベルト６０と感光体ドラム１０のニップ幅は、好ましくは３０〜１００ｍｍの範囲であり、より好ましくは、４０〜６０ｍｍの範囲である。
【００７６】
以上、本発明の実施形態について説明したが、これらは単なる例示であり、上記の説明以外の構成を採用することができる。例えば、第1及び第２実施形態では、クリーニングベルトがローラ６６，６７，６８，６９に架設または当接する例を説明したが、例えば、ローラ６８，６９に替えてブレードが採用されてもよい。この場合、クリーニングベルトは、ローラ６６，６７により張力が加えられた状態に架設され、ローラ６６，６７の間のクリーニングベルトの表面が感光体ドラムに面接触状態で当接する。
【実施例】
【００７７】
（実施例１）
円筒部材として、ステンレス板（金属板）を直径６０ｍｍの円柱状に丸めたもの（両端を接合したもの）を用意し、この円筒部材に、厚さ０．３ｍｍ、材料シリコンゴムの円柱状の離型部材（タイガースポリマー(株)社製）を被せ、離型部材が被せられた円筒部材表面に、ウレタンエマルジョン接着剤（ＤＩＣ社製：商品名ハイドラン、品番ＨＷ−３１１）にフィラー（カーボンブラック富士色素社製：商品名ＳＰＢＬＡＣＫ、品番８３３８）を添加した導電性接着剤を塗布した。導電性接着剤は、接着剤５００グラムにフィラー２５０グラムの割合で添加して作製し、この導電性接着剤を１５０μｍの膜厚となるようにスプレー法で塗布した（以下、実施例および比較例において、接着層の膜厚は、乾燥時の膜厚を指している）。これにより、１層の導電性接着剤層（表１に示す接着層１。以下第１接着層ともいう）を作製し、作製された導電性接着剤層に対して、表１に示す繊維を同表に示す繊維条件となるように、静電植毛した。次いで、静電植毛された導電性接着剤層（１層）を離型部材から離型し、円筒状のベルト（実施例１のベルト）を作製した。
【００７８】
（実施例２）
また、実施例１における導電性接着剤層を、１層の導電性接着剤層から２層の導電性接着剤層に替えたベルト（実施例２のベルト）も作製した。実施例２の導電性接着剤層は、アクリルエマルジョン接着剤（ＤＩＣ社製：商品名ボーンコート品番Ｓ５）にフィラー（カーボンブラック富士色素社製：商品名ＳＰＢＬＡＣＫ、品番８３３８）を添加した導電性接着剤を塗布後、乾燥させて、第１接着層（表１に示す接着層１）を作製し、その表面に、ウレタンエマルジョン接着剤（ＤＩＣ社製：商品名ハイドラン、品番ＨＷ−３１１）にフィラー（カーボンブラック富士色素社製：商品名ＳＰＢＬＡＣＫ、品番８３３８）を添加した導電性接着剤を塗布して、さらに第２接着層（表１に示す接着層２）を作製した。第1接着層の導電性接着剤は、接着剤５００グラムにフィラー２５０グラムの割合で添加して作製し、この導電性接着剤を５０μｍの膜厚となるようにスプレー法で塗布した。第２接着層の導電性接着剤は、第1接着層と同じ割合でフィラーを接着剤に添加して作製し、この導電性接着剤を、第1接着層と同様の方法で塗布し、第1接着層表面に１５０μｍの膜厚の第２接着層を作製した。
【００７９】
（実施例３）
また、実施例１の作製方法とほぼ同じ作製方法でベルト（実施例３のベルト）も作製した。このベルトは、実施例１と異なる離型部材を用いて作製され、その離型部材には、厚さ０．３４２ｍｍポリエステル製の離型部材を用いた（そのほかの原材料、条件は実施例１と同じである）。
【００８０】
（実施例４、実施例５）
また、実施例１および２の第１接着層を、ラテックス接着剤（主成分合成ゴムラテックス）で作製したベルトも作製した（実施例４および５のベルト）。これらのベルトにおける第１接着層は、ラテックス接着剤（ＤＩＣ社製：商品名ラックスター品番ＤＳ６０２）にフィラーを添加して導電性接着剤を作製し、この接着剤を１５０μｍの膜厚となるようにスプレー法で塗布して形成した。ここで、接着剤に対するフィラーの添加量は実施例１および２と同じであり、そのほかの原材料、条件は、実施例１および２と同じである（実施例４，５はそれぞれ実施例１，２に対応している）。
【００８１】
（実施例６）
また、円筒部材表面にフッ素樹脂コートを施し、フッ素樹脂でコートされた円筒部材にシリコンゴム製の離型部材を被せ、その表面に第１接着層（表１に示す接着層１）を形成することにより、ベルトを作製した（実施例６のベルト）。円筒部材のフッ素樹脂コートには、フッ素塗料（三井・デュポンフロロケミカル社製テフロン（登録商標））を用い、この塗料をスプレー法により円筒部材表面に塗布した。また、円筒部材のフッ素樹脂コート以外の原材料、条件は、実施例１と同じにした。
【００８２】
（実施例７〜１１）
さらに、実施例１における離型部材の厚さを、０．０３〜２．０ｍｍの間で変化させて、実施例７〜１１のベルトをそれぞれ作製した。具体的には、離型部材を、それぞれ０．０３ｍｍ，０．０５ｍｍ，０．５ｍｍ，１．０ｍｍ，２．０ｍｍの厚さにして、実施例７〜１１のベルトを作製した（離型部材の厚さ以外の原材料、条件は、実施例１と同じにした）。
【００８３】
（比較例１）
比較例として、土台フィルム（基材）を有するベルトも作製した（比較例１のベルト）。比較例１のベルトは、３２×２３０ｍｍの長方形の、材料ポリエステル、厚さ０．１ｍｍの土台フィルムに、フィラーを添加した導電性接着剤（実施例１と同じ導電性接着剤）を乾燥時１５０μｍの膜厚となるように塗布し、次いで、塗布された導電性接着層に表1に示す繊維を同表に示す繊維条件となるように、静電植毛し、次いで、繊維が静電植毛された土台フィルムを巻き、その両端を接合して円柱状の、土台フィルムを有するベルトを作製した（断面形状は図３参照）。
【００８４】
次に、作製された実施例１〜１１および比較例１の各ベルトを上記実施形態１のローラに架設することにより、クリーニングベルトを作製し、これを既存のカラーレーザープリンターのクリーナーと置き換えることにより、プリンターを組み立て、プリント試験を行った。具体的には、既存のカラーレーザープリンターの感光体のクリーナー（ブラシにトナーと逆極性の電圧を印加して静電的にクリーニングするバイアスクリーナー）に、実施例１〜１１および比較例のクリーニングベルトを装着して、３万枚のＩＤチャートプリントを行い、一定枚数毎に感光体上のメモリの発生状態を目視にて５段階評価する（画像の評価を行う）ことにより、クリーニングベルトのクリーニング性の評価を行った（最も優れているものを５とした）。
【００８５】
その結果を表１に示す。表１は、実施例１〜１１，および比較例１の条件並びにプリント試験の結果を示す表である。表1における離型部材、接着層１、接着層２、繊維層は、各部材、各層の条件を示すものであり、例えば、繊維層の「１．０ｍｍ」は、静電植毛前の繊維の長さを示す。繊維層の抵抗値は、上記実施形態１で説明した体積抵抗値である。
【００８６】
なお、表１の１〜５の点数は、各枚数のメモリの発生状態を示す点数であり、以下に示す評価基準で判定した。
1：メモリの発生明確なもの3つ以上
2：メモリの発生明確なもの2つ 
3：メモリの発生明確なもの1つ
4：ぼんやりメモリらしきものが見える。
5：メモリ見当たらず。
【００８７】
【表１】
2013137399.tif 000003
【００８８】
表１を参照すると、比較例１よりも、実施例１〜１１のほうが、感光体にメモリが残存しにくく、クリーナーのクリーニング性能が高いことがわかる。
このような結果は、実施例１〜１１および比較例１の表面形状や可撓性が影響しているものと考えられる。すなわち、比較例１のベルトは、離型後にその表面を観察したところ、成型用筒の継ぎ目（厚紙の接合部の継ぎ目）に起因すると考えられる段差が確認されたが、これに対し、実施例１〜１１のベルトには、そのような段差が確認されず、その表面は滑らかであった。このような表面形状の差異により、感光体表面に対するクリーニング性能について差が発生したものと考えられる。トナーがプリント用紙に転写されず感光体上に残留し、その結果メモリが形成されたとしても、実施例１および２のベルトであれば、その表面が滑らかであるので、感光体表面の残留トナーを均一に除去できるものと考えられる。
【００８９】
また、表１を参照すると、実施例１よりも実施例２のほうが、クリーナーのクリーニング性能が高いことがわかる。詳細に述べると、初期段階では、実施例１、実施例２ともにメモリは観察されないものの、１００００枚以降で、実施例２のほうが、ややメモリが発生しにくく、クリーニング性能が保たれていることが理解できる。実施例２のベルトは、実施例１のベルトよりも接着層が多いので、より耐久性が高く、クリーニング性能を維持しやすいものと考えられる。
【００９０】
また、表１を参照すると、実施例３および４よりも実施例１および２のほうが、クリーナーのクリーニング性能が高いことがわかる。これは第１接着層（表１に示す接着層１）の接着剤に起因しているものと考えられる。
【００９１】
また、表１を参照すると、実施例６が実施例１とほぼ同等のクリーニング性能であることがわかる。実施例６の場合、円筒部材表面にフッ素樹脂コートを施しているので、円筒部材から離型部材を容易に外すことができた（作製が容易であった）が、このようなフッ素樹脂コートがあるにもかかわらず、実施例１とほぼ同等のクリーニング性能であった。
【００９２】
また、表１を参照すると、実施例７および１１よりも、実施例１および実施例８〜１０がクリーナーのクリーニング性能がより高く、この中でも実施例８がより優れていることがわかる。この試験から、離型部材の厚さが０．０５〜１．０ｍｍであるとき、クリーニング性能が高く、離型部材の厚さが０．０５〜０．５ｍｍであるとき、よりクリーニング性能が高いことがわかった。また、離型部材の厚さが０．０５〜０．３ｍｍであるとき、さらにクリーニング性能が高いことがわかった。（実施例１および実施例９，１０はいずれも３００００枚で点数４（ぼんやりメモリらしきものが見える。）であるが、目視観察の比較から上記のような結論となった。）
【００９３】
以上から、本発明の実施形態に係る画像形成装置によれば、感光体のメモリが残存しにくく、感光体の残トナーをきれいに除去できることが明らかである。
【符号の説明】
【００９４】
１０    感光体ドラム
２０    帯電ブラシ
３０    露光装置
４０    現像装置
５０    転写ブラシ
６０    クリーニングベルト
６１    ブラシ層
６２    導電性接着層
６２Ａ  第１導電性接着層
６２Ｂ  第２導電性接着層
６３    離型部材
６４    筒状部材
６５Ａ  ６５Ｂ  ６５Ｃ    電圧印加装置
６６，６７，６８，６９  ローラ
７      搬送ベルト
１０１  繊維層（ブラシ層）
１０２  導電性接着剤（接着層）
１０５  土台フィルム（基材）
【図１】
2013137399.tif 000004
【図２】
2013137399.tif 000005
【図３】
2013137399.tif 000006